(57)【要約】【課題】設置場所が明るさを失っても人目を引く効果を失わず、また、人や物が接近すると用意した音源を自動的に再生するバルーンアーチおよびバルーンコラムを提供する。【解決手段】バルーンアーチおよびバルーンコラムの本体、あるいは本体の近くに電源と接続した、人感センサー内蔵または光センサー内蔵音源再生装置８を備えて、一定の暗さになった時や、人や物がセンサー感知エリア９に入った時にバルーンアーチおよびバルーンコラムに取り付けた発光ダイオード等の光源５とセンサー内蔵音源再生装置８の電源が入り、バルーンアーチ及びバルーンコラムを自動的に光らせたり、自動的に用意した音源を再生できる。【選択図】図６
0003183138.tif 000002
【実用新案登録請求の範囲】
【請求項１】
本体または本体設置場所と同じ明暗になる場所に、電源と接続した光センサー等の明るさセンサーを備え、バルーンアーチ及びバルーンコラムの本体またはバルーン内部に取り付けたＬＥＤライト等の光源と接続することにより、該センサーが一定の暗さや明るさを感知すると上記光源の電源がオン／オフし、自動的に点灯または消灯することを特徴とするバルーンアーチおよびバルーンコラム。
【請求項２】
前記構成の光センサー等の明るさセンサー部分を、赤外線センサーや超音波センサーなどの人感センサーや圧力センサー等の動きセンサーに換え、本体上または、接近した人や物を感知できる部分に備え、圧力センサーにおいては本体近傍の床や地面に備えることにより、それら動きセンサーが人や物を感知すると、光源の電源がオン／オフし、自動的に点灯または消灯することを特徴とするバルーンアーチ及びバルーンコラム。
【請求項３】
発光体や蓄光体を含む、または、塗布したバルーンを使用する場合においては、バルーンアーチ及びバルーンコラムの本体または本体設置場所と同じ明暗になる場所に、電源と接続した光センサー等の明るさセンサーを備え、バルーンアーチまたはバルーンコラムに向けて固定したブラックライトや紫外線ＬＥＤ等の紫外線を放出するライトと接続することにより該センサーが一定の暗さを感知すると紫外線を放出するライトの電源が入り、バルーンに向けて紫外線を照射することによって、光を失った場所において自動的にバルーンアーチ及びバルーンコラムを光らせることを特徴とする。
【請求項４】
本体上、または本体近傍の床や地面など、接近した人や物を感知できる部分に、電源と接続した赤外線センサーや超音波センサー等の人感センサーや圧力センサー等の動きセンサーを備え、バルーンアーチ及びバルーンコラムの本体または近傍に設置した音源再生装置、またはセンサー内蔵音源再生装置と接続することにより、人や物を感知すると音源再生装置の電源が入り、予め用意しておいた音源を自動的に再生することを特徴とするバルーンアーチ及びバルーンコラム。
【請求項５】
請求項２に請求項４の機能を付け加えたバルーンアーチ及びバルーンコラム。
【考案の詳細な説明】
【技術分野】
【０００１】  この考案は、バルーンアーチ及びバルーンコラムの機能に関するものである。
【背景技術】
【０００２】  従来より、バルーンアーチは両端に設けられる地面または床に固定する為のウェイトを付けて自立させたり両端を固定した、アーチ状のフレームに様々な種類のバルーンを結んで作ったものや、（図１参照）ヘリウムガスなどの、空気より軽いガスを注入して浮力をつけたバルーンを釣り糸等に均等に結びつけ、その釣り糸等の両端に錘を付けて地面または床に固定したり、浮力の影響を受けないものに固定し、該バルーンの浮力を利用してアーチ状に浮かばせたもの（図２参照）が広く知られている。またバルーンコラムはウエイト等の、倒れない為の錘を取り付け地面または床に固定し自立させた支柱にバルーンを取り付けて柱状にしたもの（図３参照）が広く知られている。【０００３】  上記バルーンアーチはアーチ状の風船の集合体、バルーンコラムは柱状の風船の集合体で、様々なイベントの装飾に採用され、祝祭典会場や店舗の出入り口、人や物が移動する軌跡上、注目を集めたい人物や商品、製品の上部や近傍などに設置するものであり、バルーンを使って作られたという質感や、色使いによる視覚的要素でイベントを華やかにする演出効果や、注目を集める効果、人目を引く事による集客効果により、販売促進や宣伝の為の行事、大会、催し等に頻繁に利用されている。【０００４】  しかしながら、バルーンアーチまたはバルーンコラムをイベント会場等の出入り口などに設置する場合においては、該アーチ及び該コラムが人目を引く効果で会場の出入り口を判り易くしたり華やかにする為であり、商品や製品の上部や近傍などに設置する場合においては、商品や製品に注目を集める為であるにも拘らず、設置場所が一定の明るさを失ってしまうと該アーチ及び該コラムの持つ効果を失うという難点がある。【０００５】  また、来客等を迎える為にバルーンアーチ及びバルーンコラムを出入り口等に設置する場合においては、該アーチ及び該コラムは出入り口を華やかにする装飾でしかない為、設置場所に挨拶をするための人員を常駐させる必要がある。
【考案の概要】
【考案が解決しようとする課題】
【０００６】  本考案は上記事情に鑑みてなされたものであり、明るい場所での設置が前提であったバルーンアーチ及びバルーンコラムが、設置場所が明るさを失っても視覚的効果、装飾効果を失わず、明るい時より人目を引く事を可能にするバルーンアーチ及びバルーンコラムを提供することを課題とした。【０００７】  また、バルーンアーチ及びバルーンコラムを出入り口等に設置する場合において、挨拶をするための人員を常駐させると人件費等の負担もでてくる。従って、バルーンアーチの中を人や物が通過する時や近づいた時、または、バルーンコラムに人や物が近づいた時に、予め用意した音源を自動再生することにより、人員を常駐させる必要のないバルーンアーチならびにバルーンコラムを提供することを課題とした。
【課題を解決するための手段】
【０００８】  上記目的を達成するために、本考案によるバルーンアーチ及びバルーンコラムは、本体または本体設置場所と同じ明暗になる場所に、電源と接続した光センサー等の明るさセンサーを備え、バルーンアーチ及びバルーンコラムの本体またはバルーン内部に取り付けたＬＥＤライト等の光源と接続することにより、該センサーが一定の暗さや明るさを感知すると上記光源の電源がオン／オフし、バルーンアーチ及びバルーンコラム全体が自動的に点灯または消灯することを特徴とする。【０００９】  前記構成の光センサー等の明るさセンサー部分を、赤外線センサーや超音波センサーなどの人感センサーや圧力センサー等の動きセンサーに換え、本体上または、接近した人や物を感知できる部分に備え、圧力センサーにおいては本体近傍の床や地面に備えることにより、それら動きセンサーが人や物を感知すると、光源の電源がオン／オフし、バルーンアーチ及びバルーンコラム全体が自動的に点灯または消灯することを特徴とする。【００１０】  発光体や蓄光体を含む、または、塗布したバルーンを使用する場合においては、バルーンアーチ及びバルーンコラムの本体または本体設置場所と同じ明暗になる場所に、電源と接続した光センサー等の明るさセンサーを備え、バルーンアーチまたはバルーンコラムに向けて固定したブラックライトや紫外線ＬＥＤ等の紫外線を放出するライトと接続することにより、該センサーが一定の暗さを感知すると紫外線放出ライトの電源が入り、バルーンに向けて紫外線を照射することによって、光を失った場所において自動的にバルーンアーチ及びバルーンコラムを光らせることを特徴とする。【００１１】  本考案のバルーンアーチおよびバルーンコラムは本体上、または本体近傍の床や地面など、接近した人や物を感知できる部分に、電源と接続した赤外線センサーや超音波センサー等の人感センサーや圧力センサー等の動きセンサーを備え、バルーンアーチ及びバルーンコラムの本体または近傍に設置した音源再生装置、と接続することにより、人や物を感知すると音源再生装置の電源が入り、予め用意しておいた音源を自動的に再生することを特徴とする。
【考案の効果】
【００１２】  上述の様に、設置場所が一定の明るさを失ったとしても、光センサー等の明るさセンサーにより、バルーンアーチ及びバルーンコラムまたはバルーン内部に取り付けたＬＥＤライト等の光源の電源が入って自動的に点灯し、バルーンアーチおよびバルーンコラム全体を光らせる事ができる。【００１３】  イベント等で来客や参加者を迎える場合、挨拶をする為の人員を常駐させる事なく、来客や参加者がバルーンアーチを通り抜ける時やバルーンコラムに接近した時に、人感センサーや圧力センサー等の動きセンサーにより、音源再生装置の電源が入り、予め用意しておいた挨拶用の音源を自動的に再生する事ができる。【００１４】  結婚披露宴や、販売促進や宣伝の為のイベントなど、人や製品、商品に注目を集めたい場合においても、人や製品、商品がバルーンアーチ及びバルーンコラムに接近したり通り抜ける時に、上記動きセンサーにより、予め用意しておいた音源を自動的に鳴らしたり、自動的にライトアップができるようになる事で、注目を集める効果が増し、明るいところでの設置が前提だった該アーチ及び該コラムが明るさを失っても効果を失わず、更には意図的に暗くすることによって今までにない新しい効果を生み出せる。
【図面の簡単な説明】
【００１５】
【図１】従来のバルーンアーチを示した正面図である。
【図２】従来の浮力を利用したバルーンアーチを示した正面図である。
【図３】従来のバルーンコラムを示した正面図である。
【図４】本考案の光センサーを備えた光るバルーンアーチの正面図である。
【図５】本考案の動きセンサーを備えた光るバルーンアーチの正面図である。
【図６】本考案の動きセンサーを備えた音源再生装置付き光るバルーンアーチの正面図である。
【図７】本考案の光センサーを備えた紫外線照射バルーンアーチの正面図である。
【図８】本考案のバルーンアーチ及びバルーンコラムに搭載した、装置の電気回路ブロック図である。
【考案を実施するための形態】
【００１６】  本考案のバルーンアーチ及びバルーンコラムは、本体または本体近傍に、電源と接続した光センサーや動きセンサー等のセンサーを備え、同じくバルーンアーチ及びバルーンコラムの本体に取り付けた光源や音源再生装置と接続することにより、各センサーが光や動きを感知すると光源や音源再生装置の電源がオン／オフし、自動的に光ったり音源を再生することを可能にする。
【実施例１】
【００１７】以下、添付図面に従って実施例を説明する。図４は従来のバルーンアーチ図１にＬＥＤライト等の光源５をアーチ全体に取り付け、電源に接続した光センサー６を備え、図８のＡで示すように光センサー６と光源５を接続することにより、光センサー６が一定の暗さや明るさを感知すると光源５の電源がオン／オフし、バルーンアーチ全体が自動的に点灯または消灯するようになっている。【００１８】前記図４の光センサー６を、図５に取り付けられた人感センサー７に換えることによって人や物が人感センサー感知エリア９に入るとアーチに取り付けられた光源５の電源がオンになり図４のバルーンアーチと同じくアーチ全体が自動的に点灯する。
【実施例２】
【００１９】  図６は実施例２を示しており、前記実施例１の図５に取り付けられた人感センサー７を、人感センサー内蔵音源再生装置８に換えることによって人や物が人感センサー感知エリア９に入ると、光源５の電源がオンになると同時に人感センサー内蔵音源再生装置８の音源再生装置部分もオンになり、予め音源再生装置に記憶しておいた音源を再生することで自動的に音源を再生しながら点灯するバルーンアーチになる。また、図６の光源５を取り外せば人感センサーにより音源だけを自動再生するバルーンアーチになる。
【実施例３】
【００２０】  図７は実施例３を示しており、このバルーンアーチに取り付けられたバルーンは発光体や蓄光体を含む、または、塗布したバールーンであって、電源に接続された光センサー６を備え、図８のＤで示すように光センサー６とバルーンアーチ全体に向けて固定したブラックライト等の紫外線照射ライト１０を接続することにより、光センサー６が一定の暗さを感知すると紫外線照射ライト１０の電源がオンになりバルーン全てが赤外線照射エリア１１に入ることによりバルーンアーチ全体が自動的に光る。
【産業上の利用可能性】
【００２１】  明るい時間帯から暗くなる時間帯まで連続して行われるイベントや暗い時間帯のイベント、結婚披露宴等の暗転させる場面の多い祝祭典などにおいて華やかで人目を引く演出を提供する。また、イベントや催し等で人や物がバルーンアーチを通過するときや、バルーンコラム接近した時に、任意に用意した音源を自動的に再生する機能を提供する。
【符号の説明】
【００２２】１  フレーム
２  ウェイト
３  バルーン
４  釣り糸
５  光源
６  光センサー
７  人感センサー
８  センサー内蔵音源再生装置
９  人感センサー感知エリア
１０  紫外線照射ライト
１１  紫外線照射エリア
Ａ  光センサー又は人感センサーを使用して光らせる為の電気回路
Ｂ  人感センサー又は圧力センサーを使用して音源を再生する為の電気回路
Ｃ  人感センサー又は圧力センサーを使用して光らせて音源を再生する為の電気回路
Ｄ  光センサーを使用して紫外線照射ライトで光らせる為の電気回
Ｅ  センサー内蔵音源再生装置
【図１】
0003183138.tif 000003
【図２】
0003183138.tif 000004
【図３】
0003183138.tif 000005
【図４】
0003183138.tif 000006
【図５】
0003183138.tif 000007
【図６】
0003183138.tif 000008
【図７】
0003183138.tif 000009
【図８】
0003183138.tif 000010
【図８】
0003183138.tif 000011
【図８】
0003183138.tif 000012
【手続補正書】
【提出日】平成24年12月20日(2012.12.20)
【手続補正１】
【補正対象書類名】実用新案登録請求の範囲
【補正対象項目名】全文
【補正方法】変更
【補正の内容】
【実用新案登録請求の範囲】
【請求項１】
バルーンアーチまたはバルーンコラムの本体上、または近傍に、電源と接続した光センサー等の明るさセンサーを備え、該アーチまたは該コラムの本体、またはバルーン内部に取り付けたＬＥＤライト等の光源と接続する事により、光センサー等の明るさセンサーが一定の暗さや明るさを感知すると上記光源の電源がオン／オフし、自動的に点灯または消灯することを特徴とするセンサーアーチまたはセンサーコラム。
【請求項２】
バルーンアーチまたはバルーンコラムの本体上、または近傍に、電源と接続した光センサー等の明るさセンサーを備え、該アーチまたは該コラムの本体、またはバルーン内部に取り付けたＬＥＤライト等の光源と接続する事により、光センサー等の明るさセンサーが一定の暗さや明るさを感知すると上記光源の電源がオン／オフし、自動的に光源が点灯または消灯する事を特徴とする請求項１に記載のセンサーアーチまたはセンサーコラムの光センサー等の明るさセンサーを、赤外線センサー、超音波センサー、圧力センサー等の人感センサー、動きセンサーに換え、本体上または本体に接近した人や物を感知できる部分に備え、圧力センサーにおいては本体近傍の床や地面に備えることにより、該センサーが人や物を感知すると光源の電源がオン／オフし、自動的に点灯または消灯することを特徴とするセンサーアーチまたはセンサーコラム。
【請求項３】
バルーンアーチまたはバルーンコラムの本体上、または本体近傍の床や地面など、該アーチまたは該コラムに接近した人や物を感知できる部分に、電源と接続した赤外線センサー、超音波センサー、圧力センサー等の人感センサー、動きセンサーを備え、該アーチまたは該コラムの本体上、もしくは近傍に設置した音源再生装置と接続することにより、または電源に接続した動きセンサー内蔵音源再生装置を本体上に設置することにより、人や物を感知すると音源再生装置の電源が入り、予め用意しておいた音源を自動的に再生することを特徴とするセンサーアーチまたはセンサーコラム。
【請求項４】
バルーンアーチまたはバルーンコラムの本体上、または本体近傍の床や地面など、該アーチまたは該コラムに接近した人や物を感知できる部分に、電源と接続した赤外線センサー、超音波センサー、圧力センサー等の人感センサー、動きセンサーを備え、該アーチまたは該コラムの本体上、もしくは近傍に設置した音源再生装置と接続することにより、または電源に接続した動きセンサー内蔵音源再生装置を本体上に設置することにより、人や物を感知すると音源再生装置の電源が入り、予め用意しておいた音源を自動的に再生することを特徴とする請求項３記載のセンサーアーチまたはセンサーコラムの本体、またはバルーン内部にＬＥＤライト等の光源を取り付け、人感センサー、動きセンサー、もしくは人感センサー内臓音源再生装置と接続することにより、人や物を感知すると音源再生装置と光源の電源が同時に入り、光源が点灯すると同時に予め用意しておいた音源を自動的に再生することを特徴とするセンサーアーチまたはセンサーコラム。
【手続補正２】
【補正対象書類名】明細書
【補正対象項目名】全文
【補正方法】変更
【補正の内容】
【考案の詳細な説明】
【技術分野】
【０００１】  この考案は、バルーンアーチまたはバルーンコラムの機能に関するものである。
【背景技術】
【０００２】  従来より、バルーンアーチは両端に鉄板などの錘を付けて地面または床に固定し自立させたアーチ状のフレームに様々な種類のバルーンを取り付けて作ったものが知られている。（図１参照）また、バルーンコラムは片側に鉄板などの錘を付けて地面または床に固定し自立させた支柱にバルーンを取り付けて柱状にしたもの（図２参照）が広く知られている。【０００３】  上記バルーンアーチはアーチ状の風船の集合体、バルーンコラムは柱状の風船の集合体で、様々なイベントの装飾に採用され、祝祭典会場や店舗の出入り口、人や物が移動する動線上、注目を集めたい人物や商品、製品の上部や近傍などに設置するものであり、バルーンを使って作られたという質感や色使いによる視覚的要素でイベントを華やかにする演出効果、注目を集める効果、人目を引く事による集客効果により、販売促進や宣伝の為の行事、大会、催し等に頻繁に利用されている。【０００４】  しかしながら、バルーンアーチまたはバルーンコラムをイベント会場等の出入り口などに設置する場合においては、該アーチまたは該コラムが人目を引く効果で会場の出入り口を判り易くしたり華やかにする為であり、商品や製品の上部や近傍などに設置する場合においては、商品や製品に注目を集める為であるにも拘らず、設置場所が一定の明るさを失ってしまうと該アーチまたは該コラムの持つ効果を失うという難点がある。【０００５】  また、来客等を迎える為にバルーンアーチまたはバルーンコラムを出入り口等に設置する場合においては、該アーチまたは該コラムは出入り口を華やかにする装飾でしかない為、設置場所に挨拶をするための人員を常駐させる必要がある。
【考案の概要】
【考案が解決しようとする課題】
【０００６】  本考案は上記事情に鑑みてなされたものであり、明るい場所での設置が前提であったバルーンアーチまたはバルーンコラムが、設置場所が明るさを失っても視覚的効果、装飾効果を失わず、明るい時より人目を引く事を可能にするバルーンアーチまたはバルーンコラムを提供することを課題とした。【０００７】  また、バルーンアーチまたはバルーンコラムを出入り口等に設置する場合において、挨拶をするための人員を常駐させると人件費等の負担もでてくる。従って、バルーンアーチの中を人や物が通過する時や近づいた時、またはバルーンコラムに人や物が近づいた時に、予め用意した音源を自動再生することにより人員を常駐させる必要のないバルーンアーチまたはバルーンコラムを提供することを課題とした。
【課題を解決するための手段】
【０００８】  上記目的を達成するために、本考案によるバルーンアーチまたはバルーンコラムは、本体上または本体近傍に電源と接続した光センサー等の明るさセンサーを備え、バルーンアーチまたはバルーンコラムの本体、またはバルーン内部に取り付けたＬＥＤライト等の光源と接続することにより、該センサーが一定の暗さや明るさを感知すると上記光源の電源がオン／オフし、バルーンアーチまたはバルーンコラム全体が自動的に点灯または消灯することを特徴とする。【０００９】  前記構成の光センサー等の明るさセンサー部分を、赤外線センサー、超音波センサー、圧力センサー等の人感センサー、動きセンサーに換え、本体上または本体に接近した人や物を感知できる部分に備え、圧力センサーにおいては本体近傍の床や地面に備えることにより、それらセンサーが人や物を感知すると、光源の電源がオン／オフし、バルーンアーチまたはバルーンコラム全体が自動的に点灯または消灯することを特徴とする。【００１０】  本考案のバルーンアーチまたはバルーンコラムは、本体上または本体に接近した人や物を感知できる部分に、電源と接続した赤外線センサー、超音波センサー、圧力センサー等の人感センサー、動きセンサーを備え、バルーンアーチまたはバルーンコラムの本体上、または近傍に設置した音源再生装置と接続することにより、人や物を感知すると音源再生装置の電源が入り、予め用意しておいた音源を自動的に再生することを特徴とする。
【考案の効果】
【００１１】  上述の様に、設置場所が一定の明るさを失ったとしても、光センサー等の明るさセンサーにより、バルーンアーチまたはバルーンコラムの本体、またはバルーン内部に取り付けたＬＥＤライト等の光源の電源が入って自動的に点灯し、バルーンアーチまたはバルーンコラム全体を光らせる事ができる。【００１２】  イベント等で来客や参加者を迎える場合においては挨拶をする為の人員を常駐させる事なく、来客や参加者がバルーンアーチを通り抜ける時やバルーンコラムに接近した時に、人感センサーや圧力センサー等の動きセンサーにより音源再生装置の電源が入り、予め用意しておいた挨拶用の音源を自動的に再生する事ができる。【００１３】  結婚披露宴、販売促進や宣伝の為のイベントなど、人や製品、商品に注目を集めたい場合においても、人や製品、商品がバルーンアーチまたはバルーンコラムに接近したり通り抜ける時に、上記動きセンサーにより予め用意しておいた音源を自動的に再生したり、自動的にライトアップができるようになる事で注目を集める効果が増し、明るいところでの設置が前提だった該アーチまたは該コラムが、明るさを失っても効果を失わず、更には意図的に暗くすることによって今までにない新しい効果を生み出せる。
【考案を実施するための形態】
【００１４】  本考案のバルーンアーチまたはバルーンコラムは、本体上または本体近傍に、電源と接続した光センサーまたは動きセンサー等のセンサーを備え、同じくバルーンアーチまたはバルーンコラムの本体に取り付けた光源や音源再生装置と接続することにより、各センサーが光または動きを感知すると光源や音源再生装置の電源がオン／オフし、自動的に光ったり自動的に音源を再生することを可能にする。
【実施例１】
【００１５】  以下、添付図面に従って実施例を説明する。図３は従来のバルーンアーチ図１にＬＥＤライト等の光源４をアーチ全体に取り付け、電源に接続した光センサー５を備え、図６Ａで示すように光センサー５と光源４を接続することにより、光センサー５が一定の暗さや明るさを感知すると光源４の電源がオン／オフし、バルーンアーチ全体が自動的に点灯または消灯するようになっている。【００１６】  図４は図３の光センサー５を人感センサー６に換えることによって、人や物が人感センサー感知エリア８に入るとアーチに取り付けられた光源４の電源がオンになり、図３のバルーンアーチと同じくアーチ全体が自動的に点灯する。
【実施例２】
【００１７】  図５は実施例２を示しており、前記実施例１の図４に取り付けられた人感センサー６を人感センサー内蔵音源再生装置７に換えることによって、人や物が人感センサー感知エリア８に入ると、光源４の電源がオンになると同時に人感センサー内蔵音源再生装置７の音源再生装置部分もオンになり、予め音源再生装置に記憶しておいた音源を再生することで自動的に音源を再生しながら点灯するバルーンアーチになる。また、図５の光源４を取り外せば人感センサーにより音源だけを自動再生するバルーンアーチになる。
【実施例３】
【産業上の利用可能性】
【００１８】  明るい時間帯から暗くなる時間帯まで連続して行われるイベントや暗い時間帯のイベント、結婚披露宴等の暗転させる場面の多い祝祭典などにおいて華やかで人目を引く演出を提供する。また、イベントや催し等で人や物がバルーンアーチを通過するときや、バルーンコラム接近した時に、任意に用意した音源を自動的に再生する機能を提供する。
【図面の簡単な説明】
【００１９】
【図１】従来のバルーンアーチ正面図
【図２】従来のバルーンコラム正面図
【図３】本考案の光センサー搭載の光るバルーンアーチ
【図４】本考案の動きセンサー搭載の光るバルーンアーチ
【図５】本考案のセンサー内臓音源再生装置搭載の光るバルーンアーチ
【図６Ａ】光センサー、人感センサーまたは圧力センサーを使用して光源を光らせる為の電気回路
【図６Ｂ】人感センサー又は圧力センサーを使用して音源を再生する為の電気回
【図６Ｃ】人感センサー又は圧力センサーを使用して光源を光らせると同時に音源を再生する為の電気回路
【図６Ｄ】センサー内蔵音源再生装置
【符号の説明】
【００２０】１  フレーム２  鉄板などの自立させる為の錘３  バルーン４  光源５  光センサー６  人感センサー７  人感センサー内蔵音源再生装置８  人感センサー感知エリア
【手続補正４】
【補正対象書類名】図面
【補正対象項目名】全図
【補正方法】変更
【補正の内容】
【図１】
0003183138.tif 000013
【図２】
0003183138.tif 000014
【図３】
0003183138.tif 000015
【図４】
0003183138.tif 000016
【図５】
0003183138.tif 000017
【図６Ａ】
0003183138.tif 000018
【図６Ｂ】
0003183138.tif 000019
【図６Ｃ】
0003183138.tif 000020
【図６Ｄ】
0003183138.tif 000021